(57)【特許請求の範囲】
【請求項１】
山と谷とで波形をしたスレート屋根に所定の間隔をおいて二つの山の間に渡され、両端が山の外側斜面に沿って翼状に下がった下地受け金具をそれぞれの山の頂点に止め付け、下地受け金具上をスレートの山と谷との筋方向に延びて下地受け金具に固定される縦桟と、縦桟上に適宜間隔をおいて縦桟と直角に渡し掛けられる横桟と、からなるスレート屋根用ソーラーパネル取付台において、縦桟と横桟とで形成される枡目にソーラーパネを嵌め込んで固定できるようにしたことを特徴とするスレート屋根用ソーラーパネル取付台。
【請求項２】
縦桟がボルトで下地受け金具に固定されるもので、ボルト通し孔が縦桟の長手方向に細長い長孔に形成される請求項１のレート屋根用ソーラーパネル取付台。
【発明の詳細な説明】
【技術分野】
【０００１】
本発明は、スレート屋根にソーラー（太陽光発電）パネルを取り付ける取付台に関するものである。
【背景技術】
【０００２】
石綿やセメントからなるスレートを葺いたスレート屋根は、強度的には瓦やルーフィングに比べて弱いとされているが、価格が安く、施工も簡単であることから、倉庫や物置の屋根として多く用いられている。近時、エコの関係でソーラーパネルを屋根を設置したものをよく見かけるが、スレート屋根でも同様である。ただ、強度的に弱いことは否めないから（そのために山と谷の波形にして強度を補強している）、ソーラーパネルを取り付けるにも工夫が要る。
【０００３】
下記特許文献１には波形屋根の山部に座金を固定し、この座金に二本のボルトを突出させ、これに縦桟と呼ばれる縦プレートを取り付け、さらに、縦プレートに横プレートを取り付け、これにソーラーパネル枠を固定したものが示されている。これにおいて、座金は一つの山部に縦方向に取り付けられており、数多くの座金が取り付けられるようにして強度を確保している。しかし、この屋根の折板は金属製であるから、このようなことができるのであり、スレート屋根には無理である。また、施工も非常に難しくなっている。
【先行技術文献】
【特許文献】
【０００４】
【特許文献１】特開２０１０−０２４６１９号公報
【発明の開示】
【発明が解決しようとする課題】
【０００５】
本発明は、強度的に弱いとされているスレート屋根に応力集中を避けるように取付台を取り付けるようにしてスレート屋根にもソーラーパネルが設置できるようにしたものである。
【課題を解決するための手段】
【０００６】
以上の課題の下、本発明は、請求項１に記載した、山と谷とで波形をしたスレート屋根の二つの山の間に渡して横方向に適宜間隔で下地受け金具をそれぞれボルトで止め付け、下地受け金具にソーラーパネル下地を谷の部分で縦方向に固定するとともに、ソーラーパネル下地に横桟を所定の間隔で載設してソーラーパネル下地と横桟とで枡目を形成し、枡目にソーラーパネルが嵌め込めるようにしたことを特徴とするスレート屋根用ソーラーパネル取付台を提供したものである。
【０００７】
以上の課題の下、本発明は、請求項１に記載した、山と谷とで波形をしたスレート屋根に所定の間隔をおいて二つの山の間に渡され、両端が山の外側斜面に沿って翼状に下がった下地受け金具をそれぞれの山の頂点に止め付け、下地受け金具上をスレートの山と谷との筋方向に延びて下地受け金具に固定される縦桟と、縦桟上に適宜間隔をおいて縦桟と直角に渡し掛けられる横桟と、からなるスレート屋根用ソーラーパネル取付台において、縦桟と横桟とで形成される枡目にソーラーパネを嵌め込んで固定できるようにしたことを特徴とするスレート屋根用ソーラーパネル取付台を提供する。
【発明の効果】
【０００８】
請求項１の発明によると、下地受け金具は横方向にスレート屋根の二つの山で支持するものであるから、応力を分散させることができるし、両端を外側斜面に沿って下がるものにしたので、断面係数が上がり強度が高くなる。また、横方向への滑りもない。さらに、縦桟は谷の部分で下地受け金具で支持するものであるから、固定の操作が容易に可能である。請求項２の手段によると、下地受け金具の位置調整が可能である。
【図面の簡単な説明】
【０００９】
【図１】スレート屋根に下地受け金具とソーラーパネル下地を取り付けた正面図である。
【図２】下地受け金具の平面図である。
【図３】下地受け金具とソーラーパネル下地を取り付けた正面図である。
【図４】下地受け金具とソーラーパネル下地を取り付けた側面図である。
【発明を実施するための形態】
【００１０】
以下、本発明の実施の形態を説明するが、図１はスレート屋根に下地受け金具とソーラーパネル下地を取り付けた正面図、図２は下地受け金具の平面図、図３は下地受け金具とソーラーパネル下地を取り付けた正面図、図４は側面図である。スレート屋根を構成するスレート１は、周知のとおり、Ｈ形鋼等の梁２の上に木毛板（ないこともある）３を貼り、その上に山１ａと谷１ｂとが交互に連続するもので、山１ａと谷１ｂとの筋方向を勾配（勾配がない場合もある）に沿って葺いている。このため、以下では、勾配方向を縦方向、縦方向に直交する方向を横方向と称する。また、スレート１は縦横方向に連続させなければならないが、それぞれ、隣接するもの同士の端部を重ね合せて適宜フックボルト１５等で梁２に固定している。
【００１１】
本発明を構成する部材は、二つの山１ａに跨がって載せられる下地受け金具（以下、金具）４と、金具４の上に縦方向に載設されるソーラーパネル下地（以下、縦桟）５と、縦桟５の上に横方向に載設される横桟６とからなる。これにおける金具４は、少なくとも二つの山１ａの間の長さを有しており、両端は翼状に下がった形状をしている。そして、山１ａにあたる部分の金具４の上からボルト７で梁２に固定している。なお、金具４と山１ａにはアスフェルトパッキン等の弾性ワッシャー８を介在させてスレート１を傷めずに応力集中を避けている。
【００１２】
縦桟５は、Ｃ形鋼の開口部分を下にして金具４にボルト９で縦方向に固定されている。このときのボルト９の位置は工具等を差込み易い谷１ｂの部分が好ましい。このため、縦桟５に設けられるボルト９の通し孔５ａは長孔にして位置調整ができるようにしている。また、縦桟５同士の接続は中子式の継手構造１０にしている。さらに、ボルト９を締めすぎてＣ形鋼を変形させないために金具４とＣ形鋼の壁部分との間にスペーサ１１を介在させている。
【００１３】
これら金具４と縦桟５とのセットは設置しようとするソーラーパネルユニット（以下、パネルユニット）の寸法・サイズに合せた間隔でセットされる。なお、一つの縦桟５における金具４の数は一つに限らない。また、縦桟５のサイズは任意であるが、本例では、横６０ｍｍ、縦３０ｍｍで長さが１１０ｃｍ程度のものを使用している。縦桟５の上には横桟６の左右両側に止め金具１２を当て、止め金具１２をボルト１３で締めて横桟６を固定するが、横桟６の間隔もパネルユニットの横方向の長さに設定する。なお、横桟６も継ぎ足して行く必要があるが、中子式や突合式によればよい。
【００１４】
以上により、スレート１の上に縦桟５と横桟６とが枡目状に設置されることになるから、この枡目にパネルユニット１４を嵌め込んで行く。パネルユニット１４の固定はその構造に応じて横からのスライド式もあるし、上から嵌め込んで適宜な締結具で固定するものもある。縦桟５はパネルユニット１４の横の仕切りになるが、その継目を縦桟５上に設定すれば、パネルユニット１４の左右両端を支持することになって安定する。
【００１５】
また、横桟６はパネルユニット１４の縦の仕切りになるとともに、パネルユニット１４が屋根の勾配によって滑り落ちようとするのを防止する役割を果たす。以上をパネルユニット１４を設置しようとするスレート１の屋根の上に展開して行けば施工は完成する。上記で説明したように、この金具４を使用することでどのような形状のスレート屋根にでも簡単にパネルユニット１４をセットできる縦桟５と横桟６とで枡目に構築できるのが本発明の特徴である。
【符号の説明】
【００１６】
１      スレート
１ａ        〃  の山
１ｂ        〃  の谷
２      梁
３      木毛板
４      下地受け金具
５      ソーラーパネル下地
５ａ              〃      の長孔
６      横桟
７      ボルト
８      弾性ワッシャー
９      ボルト
１０    継手構造
１１    スペーサ
１２    止め金具
１３    ボルト
１４    ソーラーパネルユニット
１５    フックボルト
【図１】
0005748325.tif 000002
【図２】
0005748325.tif 000003
【図３】
0005748325.tif 000004
【図４】
0005748325.tif 000005